(57)【要約】【課題】使用者が快適に利用することができるプロジェクションシステムの提供。【解決手段】プロジェクションシステム１は、スクリーン本体２１が画像光を受光可能な状態にあるか否かを検出するスクリーン状態検出手段を備えるスクリーン２と、プロジェクタ３とを備える。プロジェクタ３は、形成した画像光をスクリーン２に向けて拡大投射する画像投射手段３１と、スクリーン状態検出手段による検出結果に基づいて、プロジェクタ３の動作を制御する制御手段３６とを備える。【選択図】図４
2009069258.tif 000002
【特許請求の範囲】
【請求項１】
光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムであって、
前記スクリーンが前記画像光を受光可能な状態にあるか否かを検出するスクリーン状態検出手段を備え、
前記制御手段は、前記スクリーン状態検出手段による検出結果に基づいて、前記プロジェクタの動作を制御することを特徴とするプロジェクションシステム。
【請求項２】
請求項１に記載のプロジェクションシステムにおいて、
前記プロジェクタは、
前記画像投射手段への電源の供給を開始または停止する電源供給装置と、
前記電源供給装置に電源の供給を開始させるための供給開始情報を入力可能とする操作手段とを備え、
前記制御手段は、
前記検出結果と、前記供給開始情報とに基づいて、前記電源供給装置による電源の供給を開始するか否かを判定する供給開始判定部と、
前記供給開始判定部にて前記電源供給装置による電源の供給を開始すると判定されると、当該電源供給装置に、電源の供給を開始させる電源供給制御部とを備えることを特徴とするプロジェクションシステム。
【請求項３】
請求項１に記載のプロジェクションシステムにおいて、
前記制御手段は、
前記検出結果に基づいて、前記光源を点灯させるか否かを判定する点灯判定部と、
前記点灯判定部による判定結果に応じて、前記光源を制御する点灯制御部とを備えることを特徴とするプロジェクションシステム。
【請求項４】
請求項１に記載のプロジェクションシステムにおいて、
前記制御手段は、
前記検出結果に基づいて、前記画像光の輝度を調整するか否かを判定する輝度調整判定部と、
前記輝度調整判定部による判定結果に応じて、前記画像光の輝度を調整する輝度調整部とを備えることを特徴とするプロジェクションシステム。
【請求項５】
請求項４に記載のプロジェクションシステムにおいて、
前記画像投射手段は、
前記光源から射出された光を、入力される画像情報に応じて変調して画像光を形成する光変調装置を備え、
前記輝度調整部は、前記光変調装置を制御することで前記画像光の輝度を調整することを特徴とするプロジェクションシステム。
【請求項６】
請求項４に記載のプロジェクションシステムにおいて、
前記プロジェクタは、
前記画像光を遮蔽可能とする遮蔽部材を備え、
前記輝度調整部は、前記遮蔽部材を制御することで前記画像光の輝度を調整することを特徴とするプロジェクションシステム。
【請求項７】
光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムの制御方法であって、
前記スクリーンが前記画像光を受光可能な状態にあるか否かを検出するスクリーン状態検出手段を備え、
前記プロジェクタは、
前記画像投射手段への電源の供給を開始または停止する電源供給装置と、
前記電源供給装置に電源の供給を開始させるための供給開始情報を入力可能とする操作手段とを備え、
前記制御手段が、
前記スクリーン状態検出手段による検出結果と、前記供給開始情報とに基づいて、前記電源供給装置による電源の供給を開始するか否かを判定する供給開始判定ステップと、
前記供給開始判定ステップにて前記電源供給装置による電源の供給を開始すると判定されると、当該電源供給装置に、電源の供給を開始させる電源供給制御ステップとを実行することを特徴とする制御方法。
【請求項８】
光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムの制御方法であって、
前記スクリーンが前記画像光を受光可能な状態にあるか否かを検出するスクリーン状態検出手段を備え、
前記制御手段が、
前記スクリーン状態検出手段による検出結果に基づいて、前記光源を点灯させるか否かを判定する点灯判定ステップと、
前記点灯判定ステップによる判定結果に応じて、前記光源を制御する点灯制御ステップとを実行することを特徴とする制御方法。
【請求項９】
光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムの制御方法であって、
前記スクリーンが前記画像光を受光可能な状態にあるか否かを検出するスクリーン状態検出手段を備え、
前記制御手段が、
前記スクリーン状態検出手段による検出結果に基づいて、前記画像光の輝度を調整するか否かを判定する輝度調整判定ステップと、
前記輝度調整判定ステップによる判定結果に応じて、前記画像光の輝度を調整する輝度調整ステップとを実行することを特徴とする制御方法。
【発明の詳細な説明】
【技術分野】
【０００１】
本発明は、プロジェクションシステム、および制御方法に関する。
【背景技術】
【０００２】
従来、光源から射出された光を、入力される画像情報に応じて変調して画像光を形成し、形成した画像光を拡大投射するプロジェクタと、背面側から投射された画像光を前面側に投影する透過型スクリーンとを一体化させたリアプロジェクタが知られている（例えば、特許文献１参照）。
ところで、このようなプロジェクタおよび透過型スクリーンは、それぞれを別体としたプロジェクションシステムとして構成することも可能である。
【０００３】
【特許文献１】特開２００５−２９２６６５号公報
【発明の開示】
【発明が解決しようとする課題】
【０００４】
しかしながら、プロジェクタおよび透過型スクリーンを別体としたプロジェクションシステムを構成した場合には、例えば、透過型スクリーンを収納した場合など、プロジェクタと、プロジェクションシステムの使用者との間に透過型スクリーンが介在しない状態となる場合がある。このような場合において、プロジェクタから高輝度の画像光が投射されると、高輝度の画像光が使用者に直接あたり、使用者が不快感を感じる場合があるという問題がある。
【０００５】
本発明の目的は、使用者が快適に利用することができるプロジェクションシステム、および制御方法を提供することにある。
【課題を解決するための手段】
【０００６】
本発明のプロジェクションシステムは、光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムであって、前記スクリーンが前記画像光を受光可能な状態にあるか否かを検出するスクリーン状態検出手段を備え、前記制御手段は、前記スクリーン状態検出手段による検出結果に基づいて、前記プロジェクタの動作を制御することを特徴とする。
【０００７】
このような構成によれば、プロジェクションシステムは、スクリーン状態検出手段を備え、プロジェクタは、スクリーン状態検出手段による検出結果に基づいて、プロジェクタの動作を制御する制御手段を備えるので、スクリーンが画像光を受光可能な状態にない場合には、動作させないようにプロジェクタを構成したり、画像光を投射させないようにプロジェクタを構成したりすることができる。したがって、プロジェクションシステムの使用者との間に透過型スクリーンが介在しない状態において、プロジェクタから高輝度の画像光が投射されることがないので、高輝度の画像光が使用者に直接あたることがなく、使用者がプロジェクションシステムを快適に利用することができる。
【０００８】
本発明では、前記プロジェクタは、前記画像投射手段への電源の供給を開始または停止する電源供給装置と、前記電源供給装置に電源の供給を開始させるための供給開始情報を入力可能とする操作手段とを備え、前記制御手段は、前記検出結果と、前記供給開始情報とに基づいて、前記電源供給装置による電源の供給を開始するか否かを判定する供給開始判定部と、前記供給開始判定部にて前記電源供給装置による電源の供給を開始すると判定されると、当該電源供給装置に、電源の供給を開始させる電源供給制御部とを備えることが好ましい。
【０００９】
ここで、電源供給装置は、例えば、制御手段に電源を供給する電源装置とは異なる電源装置にて画像投射手段に電源を供給するように構成することにより、制御手段からの制御信号に基づいて、画像投射手段への電源の供給を開始または停止させるようにしてもよい。また、例えば、制御手段に電源を供給する電源装置にて画像投射手段に電源を供給するように構成するとともに、電源供給装置を、画像投射手段に電源を供給する経路を接続または遮断するように構成することにより、制御手段からの制御信号に基づいて、画像投射手段への電源の供給を開始または停止させるようにしてもよい。要するに、電源供給装置は、画像投射手段への電源の供給を開始または停止することが可能に構成されていればよい。
【００１０】
また、供給開始情報とは、リモートコントローラや、操作パネル等のプロジェクタの操作手段に設けられた電源ボタンを押下することにより出力される情報である。
従来のプロジェクタでは、電源ケーブルが接続されることにより制御手段や、リモートコントローラの受信装置等の装置にのみ電源が供給されている状態（以下、スタンバイ状態とする）において、使用者からの操作入力により電源ボタンが押下され、供給開始情報が制御手段に出力されることにより、電源供給装置は、画像投射手段への電源の供給を開始している。すなわち、プロジェクタは、使用者からの操作入力により電源ボタンが押下されると画像光を投射する。このため、プロジェクションシステムの使用者との間に透過型スクリーンが介在しない状態において、プロジェクタの電源ボタンが押下されると、高輝度の画像光が使用者に直接あたり、使用者が不快感を感じる場合があるという問題がある。
【００１１】
しかしながら、このような構成によれば、制御手段は、供給開始判定部と、電源供給制御部とを備えるので、スクリーンが画像光を受光可能な状態にある場合にのみ、画像投射手段への電源の供給を開始するようにプロジェクタを構成することができる。したがって、プロジェクションシステムの使用者との間に透過型スクリーンが介在しない状態において、プロジェクタの動作が制御され、プロジェクタの電源ボタンが押下された場合であってもプロジェクタから高輝度の画像光が投射されることがないので、高輝度の画像光が使用者に直接あたることがなく、使用者がプロジェクションシステムを快適に利用することができる。
【００１２】
本発明では、前記制御手段は、前記検出結果に基づいて、前記光源を点灯させるか否かを判定する点灯判定部と、前記点灯判定部による判定結果に応じて、前記光源を制御する点灯制御部とを備えることが好ましい。
【００１３】
このような構成によれば、制御手段は、点灯判定部と、点灯制御部とを備えるので、スクリーンが画像光を受光可能な状態にない場合には、光源を点灯させないようにプロジェクタを構成することができる。これによれば、プロジェクションシステムの使用者との間に透過型スクリーンが介在しない状態において、プロジェクタから高輝度の画像光が投射されることがないので、高輝度の画像光が使用者に直接あたることがなく、使用者がプロジェクションシステムを快適に利用することができる。
また、スクリーンが画像光を受光可能な状態にある場合には、自動的に光源を点灯させるようにプロジェクタを構成することができる。これによれば、使用者は、例えば、巻き取り収納可能なスクリーンを引き出すなどして受光可能な状態とするだけで、プロジェクタに画像光を投射させることできるので、プロジェクションシステムを更に快適に利用することができる。
【００１４】
本発明では、前記制御手段は、前記検出結果に基づいて、前記画像光の輝度を調整するか否かを判定する輝度調整判定部と、前記輝度調整判定部による判定結果に応じて、前記画像光の輝度を調整する輝度調整部とを備えることが好ましい。
【００１５】
ここで、輝度調整部は、例えば、光源を制御することで射出される光の輝度を調整することで画像光の輝度調整を実施することができる。
したがって、このような構成によれば、制御手段は、輝度調整判定部と、輝度調整部とを備えるので、スクリーンが画像光を受光可能な状態にない場合には、画像光の投射を停止したり、低輝度の画像光を投射したりするようにプロジェクタを構成することができる。これによれば、プロジェクションシステムの使用者との間に透過型スクリーンが介在しない状態において、プロジェクタから高輝度の画像光が投射されることがないので、高輝度の画像光が使用者に直接あたることがなく、使用者がプロジェクションシステムを快適に利用することができる。
【００１６】
本発明では、前記画像投射手段は、前記光源から射出された光を、入力される画像情報に応じて変調して画像光を形成する光変調装置を備え、前記輝度調整部は、前記光変調装置を制御することで前記画像光の輝度を調整することが好ましい。
このような構成によれば、光変調装置は、光源と比較して高い応答性を有するので、輝度調整部は、光源を制御することで射出される光の輝度を調整する場合と比較して、画像光の輝度調整を迅速に実施することができる。
【００１７】
本発明では、前記プロジェクタは、前記画像光を遮蔽可能とする遮蔽部材を備え、前記輝度調整部は、前記遮蔽部材を制御することで前記画像光の輝度を調整することが好ましい。
このような構成によれば、遮蔽部材の制御は、光源と比較して高い応答性を有するとともに、遮蔽部材によりプロジェクタから画像光を投射しないようにすることができるので、輝度調整部は、画像光の輝度調整を迅速、かつ、確実に実施することができる。
【００１８】
本発明の制御方法は、光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムの制御方法であって、前記スクリーンが前記画像光を受光可能な状態にあるか否かを検出するスクリーン状態検出手段を備え、前記プロジェクタは、前記画像投射手段への電源の供給を開始または停止する電源供給装置と、前記電源供給装置に電源の供給を開始させるための供給開始情報を入力可能とする操作手段とを備え、前記制御手段が、前記スクリーン状態検出手段による検出結果と、前記供給開始情報とに基づいて、前記電源供給装置による電源の供給を開始するか否かを判定する供給開始判定ステップと、前記供給開始判定ステップにて前記電源供給装置による電源の供給を開始すると判定されると、当該電源供給装置に、電源の供給を開始させる電源供給制御ステップとを実行することを特徴とする。
このような構成によれば、前述したプロジェクションシステムの作用効果と同様の作用効果を享受することができる。
【００１９】
本発明の制御方法は、光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムの制御方法であって、前記スクリーンが前記画像光を受光可能な状態にあるか否かを検出するスクリーン状態検出手段を備え、前記制御手段が、前記スクリーン状態検出手段による検出結果に基づいて、前記光源を点灯させるか否かを判定する点灯判定ステップと、前記点灯判定ステップによる判定結果に応じて、前記光源を制御する点灯制御ステップとを実行することを特徴とする。
このような構成によれば、前述したプロジェクションシステムの作用効果と同様の作用効果を享受することができる。
【００２０】
本発明の制御方法は、光源から射出された光を、入力される画像情報に応じて変調して画像光を形成し、形成した画像光を拡大投射する画像投射手段、および前記画像投射手段を制御する制御手段を備えるプロジェクタと、前記画像投射手段により投射された画像光を受光することで、当該画像光に基づく画像を表示させるスクリーンとを備えるプロジェクションシステムの制御方法であって、前記スクリーンが前記画像光を受光可能な状態にあるか否かを検出するスクリーン状態検出手段を備え、前記制御手段が、前記スクリーン状態検出手段による検出結果に基づいて、前記画像光の輝度を調整するか否かを判定する輝度調整判定ステップと、前記輝度調整判定ステップによる判定結果に応じて、前記画像光の輝度を調整する輝度調整ステップとを実行することを特徴とする。
このような構成によれば、前述したプロジェクションシステムの作用効果と同様の作用効果を享受することができる。
【発明を実施するための最良の形態】
【００２１】
〔第１実施形態〕
以下、本発明の第１実施形態を図面に基づいて説明する。
〔プロジェクションシステムの概略構成〕
図１は、プロジェクションシステム１を側面側から見た概略図である。
プロジェクションシステム１は、図１に示すように、背面側から投射された画像光を前面側に投影する透過型のスクリーン２と、光源から射出された光を、入力される画像情報に応じて変調して画像光を形成し、形成した画像光を拡大投射するプロジェクタ３とを備える。プロジェクタ３から拡大投射された画像光は、スクリーン２の背面側に投射され、スクリーン２は、投射された画像光に基づく画像を前面側に投影して表示させる。
【００２２】
〔スクリーンの詳細構成〕
図２は、スクリーン２を斜め前方から見た斜視図である。
スクリーン２は、可撓性を有するスクリーン本体２１と、スクリーン本体２１を収納するスクリーンカバー２２と、スクリーン本体２１の上端側（図２中上側）に設けられ、回転することでスクリーン本体２１を巻き取る巻取軸２３と、スクリーン本体２１の右上端側（図２中右上端側）に設けられるスクリーン状態検出手段２４とを備える。なお、スクリーンカバー２２は、図１に示すように、室内の天井に固定されている。また、図２においては、説明の便宜上、スクリーンカバー２２を透視している。
【００２３】
図３は、スクリーン状態検出手段２４の詳細を示す図である。
スクリーン状態検出手段２４は、図２および図３に示すように、スクリーンカバー２２の右端側に設けられたフォトインタラプタ２４１と、スクリーン本体２１の右上端側に形成された開口２４２とを備える。
フォトインタラプタ２４１は、スクリーン本体２１に向かって光を射出する発光部２４１Ａと、発光部２４１Ａから射出される光を受光する受光部２４１Ｂとを備え、発光部２４１Ａと、受光部２４１Ｂとでスクリーン本体２１を挟み込むように設けられている。このフォトインタラプタ２４１は、発光部２４１Ａから射出される光を受光部２４１Ｂで検出するか否かによって、発光部２４１Ａおよび受光部２４１Ｂの間に介在する遮蔽物の有無を検出する。具体的に、フォトインタラプタ２４１は、遮蔽物を検出した場合には、ＯＮ信号を、遮蔽物を検出しない場合にはＯＦＦ信号を、それぞれ赤外線通信によりプロジェクタ３に対して連続的に出力する。
【００２４】
開口２４２は、スクリーン本体２１がスクリーンカバー２２から完全に引き出されたときに、フォトインタラプタ２４１の発光部２４１Ａから射出される光を通過させる位置に形成されている。したがって、スクリーン本体２１がスクリーンカバー２２に収納され、画像光を受光可能な状態でない場合には、フォトインタラプタ２４１は、スクリーン本体２１を遮蔽物として検出するので、プロジェクタ３にＯＮ信号を出力する。また、スクリーン本体２１がスクリーンカバー２２から完全に引き出され、画像光を受光可能な状態である場合には、フォトインタラプタ２４１は、スクリーン本体２１を遮蔽物として検出しないので、プロジェクタ３にＯＦＦ信号を出力する。
すなわち、スクリーン状態検出手段２４は、スクリーン本体２１が画像光を受光可能な状態にあるか否かを検出する。
【００２５】
〔プロジェクタの詳細構成〕
図４は、プロジェクタ３の構成を示すブロック図である。
プロジェクタ３は、図４に示すように、画像投射手段３１と、１次電源装置３２と、２次電源装置３３と、赤外線受信機３４と、操作パネル３５と、制御手段３６とにより概略構成されている。
画像投射手段３１は、光源から射出される光を画像情報に応じて変調して画像光を形成し、形成した画像光をスクリーン２に向けて拡大投射するものである。この画像投射手段３１は、光源ランプ３１１と、液晶パネル３１２と、投射レンズ３１３とを備える。
【００２６】
光源としての光源ランプ３１１は、高圧放電ランプにて構成され、光を液晶パネル３１２に向けて射出する。なお、光源ランプ３１１に代えて、発光ダイオード、レーザダイオード、有機ＥＬ素子等の各種自己発光素子を光源としてもよい。
光変調装置としての液晶パネル３１２は、透過型の液晶パネルであり、画像情報に基づいて、液晶セル（図示略）に封入された液晶分子の配列を変化させ、光源ランプ３１１から射出された光を、透過若しくは遮断することにより画像情報に応じて変調して画像光を形成し、この画像光を投射レンズ３１３に射出する。
【００２７】
投射レンズ３１３は、筒状の鏡筒（図示略）内に複数のレンズが収納された組レンズとして構成され、液晶パネル３１２から射出された画像光をスクリーン２に向けて拡大投射するものである。そして、スクリーン２におけるスクリーン本体２１には、射出された画像光に基づく画像が表示される。
なお、図示は省略したが、プロジェクタ３は、光源ランプ３１１から射出される光をＲＧＢ（Red Green Blue）の３色の光に分離する色光分離光学装置を備えている。また、前述した液晶パネル３１２は、色光分離光学装置にて分離されたＲＧＢの３色に対応して設けられている。さらに、プロジェクタ３は、３色の画像光を合成してカラー画像を表す画像光を生成する合成光学装置を備えている。
【００２８】
１次電源装置３２は、電源ケーブル（図示略）を介してＡＣ（Alternating Current）電源に接続されることにより、赤外線受信機３４、操作パネル３５、および制御手段３６に電源を供給する。
電源供給装置としての２次電源装置３３は、１次電源装置３２と同様に、電源ケーブルを介してＡＣ電源に接続されることにより、画像投射手段３１に電源を供給するものであり、制御手段３６からの制御信号に応じて、画像投射手段３１への電源の供給を開始または停止することが可能に構成されている。
なお、本実施形態では、１次電源装置３２にて赤外線受信機３４、操作パネル３５、および制御手段３６に電源が供給され、２次電源装置３３による電源の供給が停止している状態をスタンバイ状態とする。
【００２９】
赤外線受信機３４は、フォトインタラプタ２４１から出力されるＯＮ信号およびＯＦＦ信号を受信し、受信した信号を制御手段３６に出力する。
操作手段としての操作パネル３５は、プロジェクタ３の起動・調整等の操作を実施するものであり、押下されることで供給開始情報を制御手段３６に出力する電源ボタン（図示略）を備えている。なお、操作パネル３５に代えて、リモートコントローラ等を操作手段としてもよい。
【００３０】
制御手段３６は、例えば、ＣＰＵ（Central Processing Unit）等を含んで構成され、プロジェクタ３の動作を制御する。この制御手段３６は、供給開始判定部３６１と、電源供給制御部３６２とを備える。
供給開始判定部３６１は、スクリーン状態検出手段２４による検出結果、すなわち赤外線受信機３４にて受信された信号と、操作パネル３５から出力される供給開始情報とに基づいて、２次電源装置３３による電源の供給を開始するか否かを判定する。
電源供給制御部３６２は、供給開始判定部３６１にて２次電源装置３３による電源の供給を開始すると判定されると、２次電源装置３３に、電源の供給を開始させる。
【００３１】
〔プロジェクタの制御処理〕
図５は、プロジェクタ３の制御処理を示すフローチャートである。
プロジェクタ３は、１次電源装置３２および２次電源装置３３にＡＣ電源が接続されると、スタンバイ状態になるとともに、以下の制御処理を実行する。
まず、供給開始判定部３６１は、スクリーン状態検出手段２４による検出結果と、供給開始情報とに基づいて、２次電源装置３３による電源の供給を開始するか否かを判定する（ステップＳ１：供給開始判定ステップ）。
具体的に、供給開始判定部３６１は、操作パネル３５から供給開始情報が出力されたか否か、すなわち、電源ボタンが押下されたか否かを判定する（ステップＳ１０１：供給開始情報判定ステップ）。
【００３２】
そして、操作パネル３５から供給開始情報が出力されていない場合には、供給開始判定部３６１は、再度、ステップＳ１０１を実行する。これに対して、操作パネル３５から供給開始情報が出力された場合には、供給開始判定部３６１は、赤外線受信機３４にて受信された信号をサンプリングしてフォトインタラプタ２４１から出力されるＯＮ信号およびＯＦＦ信号を取得することで、スクリーン本体２１が画像光を受光可能であるか否かを判定する（ステップＳ１０２：スクリーン状態判定ステップ）。
【００３３】
そして、取得した信号がＯＮ信号である場合には、供給開始判定部３６１は、スクリーン本体２１がスクリーンカバー２２に収納され、画像光を受光可能な状態でないと判定する。この場合には、供給開始判定部３６１は、再度、ステップＳ１０１を実行する。これに対して、取得した信号がＯＦＦ信号である場合には、供給開始判定部３６１は、スクリーン本体２１がスクリーンカバー２２から引き出され、画像光を受光可能な状態であると判定する。この場合には、供給開始判定部３６１は、２次電源装置３３による電源の供給を開始すると判定する。
【００３４】
供給開始判定ステップＳ１にて２次電源装置３３による電源の供給を開始すると判定されると、電源供給制御部３６２は、２次電源装置３３に、電源の供給を開始させる（ステップＳ２：電源供給制御ステップ）。そして、２次電源装置３３による電源の供給の開始により、プロジェクタ３から画像光が投射される。
以上のステップＳ１〜Ｓ２を実行することにより、プロジェクタ３の制御処理が実行される。
【００３５】
本実施形態に係るプロジェクションシステム１によれば、次のような効果がある。
プロジェクションシステム１の使用者との間にスクリーン本体２１が介在しない状態において、制御手段３６によりプロジェクタ３の動作が制御され、プロジェクタ３の電源ボタンが押下された場合であってもプロジェクタ３から高輝度の画像光が投射されることがないので、高輝度の画像光が使用者に直接あたることがなく、使用者がプロジェクションシステム１を快適に利用することができる。
【００３６】
〔第２実施形態〕
以下、本発明の第２実施形態に係るプロジェクションシステム１Ａについて説明する。
なお、以下の説明では、既に説明した部分については、同一符号を付してその説明を省略する。
前記第１実施形態に係るプロジェクションシステム１を構成するプロジェクタ３は、スクリーン状態検出手段２４による検出結果と、供給開始情報とに基づいて、２次電源装置３３による電源の供給を開始するか否かを判定することで、プロジェクションシステム１の使用者との間にスクリーン本体２１が介在しない状態において、プロジェクタ３の電源ボタンが押下された場合であってもプロジェクタ３から高輝度の画像光が投射されることがないように構成されていた。
【００３７】
これに対して、本実施形態に係るプロジェクションシステム１Ａを構成するプロジェクタ３Ａは、スクリーン状態検出手段２４による検出結果に基づいて、光源ランプ３１１を点灯させるか否かを判定することで、プロジェクションシステム１Ａの使用者との間にスクリーン本体２１が介在しない状態において、プロジェクタ３Ａから高輝度の画像光が投射されることがないように構成されている点で異なる。
【００３８】
〔プロジェクタの詳細構成〕
図６は、プロジェクタ３Ａの構成を示すブロック図である。
プロジェクタ３Ａは、図６に示すように、画像投射手段３１Ａと、制御手段３６Ａとを備える。
画像投射手段３１Ａは、光源ランプ３１１に電源を供給して駆動する光源駆動装置３１４を備え、この光源駆動装置３１４は、制御手段３６Ａからの制御信号に応じて、光源ランプ３１１への電源の供給を開始または停止することが可能に構成されている。
【００３９】
制御手段３６Ａは、２次電源制御部３６３と、点灯判定部３６４と、点灯制御部３６５とを備える。
２次電源制御部３６３は、操作パネル３５から出力される供給開始情報とに基づいて、２次電源装置３３に、電源の供給を開始させる。
点灯判定部３６４は、スクリーン状態検出手段２４による検出結果に基づいて、光源ランプ３１１を点灯させるか否かを判定する。
点灯制御部３６５は、点灯判定部３６４による判定結果に応じて、光源駆動装置３１４に制御信号を出力することで光源ランプ３１１を制御する。
【００４０】
〔プロジェクタの制御処理〕
図７は、プロジェクタ３Ａの制御処理を示すフローチャートである。
プロジェクタ３Ａは、１次電源装置３２および２次電源装置３３にＡＣ電源が接続されると、スタンバイ状態になる。そして、電源ボタンが押下され、操作パネル３５から供給開始情報が出力されると、２次電源制御部３６３は、２次電源装置３３に、電源の供給を開始させ、プロジェクタ３Ａは、以下の制御処理を実行する。なお、この状態においては、光源駆動装置３１４は、光源ランプ３１１への電源の供給を停止している。
【００４１】
まず、点灯判定部３６４は、赤外線受信機３４にて受信された信号をサンプリングしてフォトインタラプタ２４１から出力されるＯＮ信号およびＯＦＦ信号を取得することで、光源ランプ３１１を点灯させるか否かを判定する（ステップＳ１１：点灯判定ステップ）。
そして、取得した信号がＯＮ信号である場合には、スクリーン本体２１がスクリーンカバー２２に収納され、画像光を受光可能な状態でないので、点灯判定部３６４は、光源ランプ３１１を点灯させないと判定する。この場合には、点灯判定部３６４は、再度、ステップＳ１１を実行する。これに対して、取得した信号がＯＦＦ信号である場合には、スクリーン本体２１がスクリーンカバー２２から引き出され、画像光を受光可能な状態であるので、点灯判定部３６４は、光源ランプ３１１を点灯させると判定する。
【００４２】
点灯判定ステップＳ１１にて光源ランプ３１１を点灯させると判定されると、点灯制御部３６５は、光源駆動装置３１４に制御信号を出力することで光源ランプ３１１を点灯させる（ステップＳ１２：点灯制御ステップ）。そして、光源駆動装置３１４による光源ランプ３１１への電源の供給の開始により、プロジェクタ３Ａから画像光が投射される。
以上のステップＳ１１〜Ｓ１２を実行することにより、プロジェクタ３Ａの制御処理が実行される。
【００４３】
本実施形態に係るプロジェクションシステム１Ａによれば、次のような効果がある。
（１）プロジェクションシステム１Ａの使用者との間にスクリーン本体２１が介在しない状態において、プロジェクタ３Ａから高輝度の画像光が投射されることがないので、高輝度の画像光が使用者に直接あたることがなく、使用者がプロジェクションシステム１Ａを快適に利用することができる。
（２）使用者は、スクリーンカバー２２からスクリーン本体２１を引き出して受光可能な状態とするだけで、プロジェクタ３Ａに画像光を投射させることできるので、プロジェクションシステム１Ａを更に快適に利用することができる。
【００４４】
〔第３実施形態〕
以下、本発明の第３実施形態に係るプロジェクションシステム１Ｂについて説明する。
前記第２実施形態に係るプロジェクションシステム１Ａを構成するプロジェクタ３Ａは、光源ランプ３１１を制御することで、プロジェクションシステム１Ａの使用者との間にスクリーン本体２１が介在しない状態において、プロジェクタ３Ａから高輝度の画像光が投射されることがないように構成されていた。これに対して、本実施形態に係るプロジェクションシステム１Ｂを構成するプロジェクタ３Ｂは、液晶パネル３１２を制御することで、プロジェクションシステム１Ａの使用者との間にスクリーン本体２１が介在しない状態において、プロジェクタ３Ａから高輝度の画像光が投射されることがないように構成されている点で異なる。
【００４５】
図８は、プロジェクタ３Ｂの構成を示すブロック図である。
プロジェクタ３Ｂは、図８に示すように、制御手段３６Ｂを備え、制御手段３６Ｂは、輝度調整判定部３６６と、輝度調整部３６７とを備える。
輝度調整判定部３６６は、スクリーン状態検出手段２４による検出結果に基づいて、画像光の輝度を調整するか否かを判定する。
輝度調整部３６７は、輝度調整判定部３６６による判定結果に応じて、画像光の輝度を調整する。具体的に、輝度調整部３６７は、プロジェクタ３Ｂから投射される画像光の輝度調整を開始する場合には、液晶パネル３１２に、全ての液晶セルにおいて光源ランプ３１１から射出された光を遮断させるための画像情報、すなわち、スクリーン本体２１に表示される画像が全黒画像となるような画像情報を出力することでプロジェクタ３Ｂから投射される画像光の輝度を低くするように調整する。
【００４６】
〔プロジェクタの制御処理〕
図９は、プロジェクタ３Ｂの制御処理を示すフローチャートである。
プロジェクタ３Ｂは、１次電源装置３２および２次電源装置３３にＡＣ電源が接続されると、スタンバイ状態になる。そして、電源ボタンが押下され、操作パネル３５から供給開始情報が出力されると、２次電源制御部３６３は、２次電源装置３３に、電源の供給を開始させ、プロジェクタ３Ｂは、以下の制御処理を実行する。
まず、輝度調整判定部３６６は、赤外線受信機３４にて受信された信号をサンプリングしてフォトインタラプタ２４１から出力されるＯＮ信号およびＯＦＦ信号を取得することで、プロジェクタ３Ｂから投射される画像光の輝度を調整するか否かを判定する（ステップＳ２１：輝度調整判定ステップ）。
そして、輝度調整部３６７は、輝度調整判定部３６６による判定結果に応じて、画像光の輝度を調整する（ステップＳ２２：輝度調整ステップ）。
【００４７】
具体的に、輝度調整判定ステップＳ２１にて取得される信号がＯＮ信号である場合には、スクリーン本体２１がスクリーンカバー２２に収納され、画像光を受光可能な状態でないので、輝度調整判定部３６６は、プロジェクタ３Ｂから投射される画像光の輝度を調整すると判定する。
輝度調整判定ステップＳ２１にてプロジェクタ３Ｂから投射される画像光の輝度を調整すると判定されると、輝度調整部３６７は、画像光の輝度調整を開始する（ステップＳ２２１：輝度調整開始ステップ）。
輝度調整開始ステップＳ２２１にて画像光の輝度が調整されると、輝度調整判定部３６６は、再度、ステップＳ２１を実行する。
【００４８】
これに対して、輝度調整判定ステップＳ２１にて取得される信号がＯＦＦ信号である場合には、スクリーン本体２１がスクリーンカバー２２から引き出され、画像光を受光可能な状態であるので、輝度調整判定部３６６は、プロジェクタ３Ｂから投射される画像光の輝度を調整しないと判定する。
輝度調整判定ステップＳ２１にてプロジェクタ３Ｂから投射される画像光の輝度を調整しないと判定されると、輝度調整部３６７は、画像光の輝度調整を停止する（ステップＳ２２２：輝度調整停止ステップ）。そして、輝度調整部３６７による画像光の輝度調整の停止により、プロジェクタ３Ｂから高輝度の画像光が投射される。
以上のステップＳ２１〜Ｓ２２を実行することにより、プロジェクタ３Ｂの制御処理が実行される。
【００４９】
このような本実施形態においても、前記第２実施形態と同様の作用効果を奏することができる他、以下の作用効果をも奏することができる。
すなわち、液晶パネル３１２は、光源ランプ３１１と比較して高い応答性を有するので、輝度調整部３６７は、光源ランプ３１１を制御することでプロジェクタ３Ｂから投射される画像光の輝度調整を迅速に実施することができる。
【００５０】
〔第４実施形態〕
以下、本発明の第４実施形態に係るプロジェクションシステム１Ｃについて説明する。
前記第３実施形態に係るプロジェクションシステム１Ｂを構成するプロジェクタ３Ｂは、液晶パネル３１２を制御することでプロジェクタ３Ｂから投射される画像光の輝度を調整していた。これに対して、本実施形態に係るプロジェクションシステム１Ｃを構成するプロジェクタ３Ｃは、投射レンズ３１３から投射される画像光を遮蔽するレンズシャッター３７を備え、レンズシャッター３７を制御することでプロジェクタ３Ｃから投射される画像光の輝度を調整している点で異なる。
【００５１】
図１０は、プロジェクタ３Ｃの構成を示すブロック図である。
プロジェクタ３Ｃは、図１０に示すように、制御手段３６Ｃと、レンズシャッター３７とを備える。
遮蔽部材としてのレンズシャッター３７は、図示は省略するが、投射レンズ３１３の投射方向後段側に設けられた非透光性の板状部材であり、プロジェクタ３Ｃの筐体に沿って摺動することで投射レンズ３１３から投射される画像光を遮蔽可能とする。また、このレンズシャッター３７には、リニアアクチュエータ（図示略）が接続され、制御手段３６Ｃから出力される制御信号に基づいて開閉制御可能に構成されている。
【００５２】
制御手段３６Ｃは、輝度調整部３６７Ｃを備え、輝度調整部３６７Ｃは、輝度調整判定部３６６による判定結果に応じて、レンズシャッター３７を制御して開閉させることで、プロジェクタ３Ｃから投射される画像光の輝度を調整する。具体的に、輝度調整部３６７Ｃは、プロジェクタ３Ｃから投射される画像光の輝度調整を開始する場合には、レンズシャッター３７にて投射レンズ３１３から投射される画像光を遮蔽することでプロジェクタ３Ｂから画像光を投射しないように調整する。
【００５３】
このような本実施形態においても、前記第２実施形態と同様の作用効果を奏することができる他、以下の作用効果をも奏することができる。
すなわち、レンズシャッター３７の制御は、光源ランプ３１１と比較して高い応答性を有するとともに、レンズシャッター３７によりプロジェクタ３Ｃから画像光を投射しないようにすることができるので、輝度調整部３６７Ｃは、プロジェクタ３Ｃから投射される画像光の輝度調整を迅速、かつ、確実に実施することができる。
【００５４】
〔実施形態の変形〕
なお、本発明は前記実施形態に限定されるものではなく、本発明の目的を達成できる範囲での変形、改良等は本発明に含まれるものである。
前記各実施形態では、スクリーン状態検出手段２４は、フォトインタラプタ２４１と、スクリーン本体２１に形成された開口２４２とのより構成されていたが、これ以外の構成としてもよい。例えば、スクリーン２における巻取軸２３の端部にロータリーエンコーダを取り付け、このロータリーエンコーダにより検出される巻取軸２３の回転数に基づいて、スクリーン本体２１が画像光を受光可能な状態にあるか否かを検出するように構成してもよい。
【００５５】
前記第１実施形態では、電源供給装置は、制御手段３６に電源を供給する第１電源装置とは異なる第２電源装置により構成されていたが、第１電源装置にて画像投射手段３１に電源を供給するように構成するとともに、電源供給装置を、画像投射手段３１に電源を供給する経路を接続または遮断するように構成してもよい。要するに、電源供給装置は、画像投射手段への電源の供給を開始または停止することが可能に構成されていればよい。
【００５６】
前記第３実施形態では、輝度調整部３６７は、液晶パネル３１２を制御することでプロジェクタ３Ｂから投射される画像光の輝度を調整し、前記第４実施形態では、輝度調整部３６７Ｃは、レンズシャッター３７を制御することでプロジェクタ３Ｃから投射される画像光の輝度を調整していたが、例えば、光源を制御することでプロジェクタから投射される画像光の輝度を調整してもよい。要するに、輝度調整部は、プロジェクタから投射される画像光の輝度を調整することができればよい。
【００５７】
前記各実施形態では、スクリーンカバー２２（スクリーン本体２１の収納部）が天井（上方側）に固定され、スクリーン本体２１を上方側から下方側に引き出す構成のスクリーン２を採用していた。これに対して、スクリーン本体の収納部が床など（下方側）に固定され、スクリーン本体を下方側から上方側に引き出す構成のスクリーンを採用してもよい。さらには、スクリーン本体の収納部と、プロジェクタとを一体化させた構成のプロジェクションシステムを採用してもよく、要するに、プロジェクションシステムは、プロジェクタと、スクリーンとを備えていればよい。
前記各実施形態では、透過型の液晶パネル３１２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００５８】
本発明は、プロジェクションシステムに利用でき、特に、透過型スクリーンを用いたプロジェクションシステムに好適に利用することができる。
【図面の簡単な説明】
【００５９】
【図１】第１実施形態におけるプロジェクションシステムを側面側から見た概略図。
【図２】前記実施形態におけるスクリーンを斜め前方から見た斜視図。
【図３】前記実施形態におけるスクリーン状態検出手段の詳細を示す図。
【図４】前記実施形態におけるプロジェクタの構成を示すブロック図。
【図５】前記実施形態におけるプロジェクタの制御処理を示すフローチャート。
【図６】第２実施形態におけるプロジェクタの構成を示すブロック図。
【図７】前記実施形態におけるプロジェクタの制御処理を示すフローチャート。
【図８】第３実施形態におけるプロジェクタの構成を示すブロック図。
【図９】前記実施形態におけるプロジェクタの制御処理を示すフローチャート。
【図１０】第４実施形態におけるプロジェクタの構成を示すブロック図。
【符号の説明】
【００６０】
１，１Ａ，１Ｂ，１Ｃ…プロジェクションシステム、２…スクリーン、３，３Ａ，３Ｂ，３Ｃ…プロジェクタ、２４…スクリーン状態検出手段、３１，３１Ａ…画像投射手段、３３…２次電源装置（電源供給装置）、３５…操作パネル（操作手段）、３６，３６Ａ，３６Ｂ，３６Ｃ…制御手段、３７…レンズシャッター（遮蔽部材）、３１１…光源ランプ（光源）、３１２…液晶パネル（光変調装置）、３６１…供給開始判定部、３６２…電源供給制御部、３６４…点灯判定部、３６５…点灯制御部、３６６…輝度調整判定部、３６７，３６７Ｃ…輝度調整部、Ｓ１…供給開始判定ステップ、Ｓ２…電源供給制御ステップ、Ｓ１１…点灯判定ステップ、Ｓ１２…点灯制御ステップ、Ｓ２１…輝度調整判定ステップ、Ｓ２２…輝度調整ステップ。
【図１】
2009069258.tif 000003
【図２】
2009069258.tif 000004
【図３】
2009069258.tif 000005
【図４】
2009069258.tif 000006
【図５】
2009069258.tif 000007
【図６】
2009069258.tif 000008
【図７】
2009069258.tif 000009
【図８】
2009069258.tif 000010
【図９】
2009069258.tif 000011
【図１０】
2009069258.tif 000012